(57)【特許請求の範囲】
【請求項１】
演奏手段と、ワイヤレスマイクと、受信手段と、制御手段を備えたカラオケ装置であって、
演奏手段は、制御手段の制御に従ってカラオケ楽曲データを演奏し、
ワイヤレスマイクは、送信手段の動作をオンオフさせるスイッチを有し、
受信手段は、ワイヤレスマイクの受信信号から復調した歌声信号をアンプに供給するとともに、受信信号の有無をあらわす状態信号を出力し、
制御手段は、演奏手段にカラオケ楽曲データを演奏させている期間において、状態信号が有りから無しに変化した際、その時点からの経過時間を計測し、経過時間が所定時間に達するまでの期間だけ監視処理を行い、
監視処理は、状態信号が有りに変化し、さらに、状態信号が無しに変化すると、当該楽曲の演奏をフェードアウトさせて中止する
カラオケ装置。
【請求項２】
演奏手段と、ワイヤードマイクと、マイクインタフェースと、制御手段を備えたカラオケ装置であって、
演奏手段は、制御手段の制御に従ってカラオケ楽曲データを演奏し、
ワイヤードマイクは、マイク出力をオンオフさせるとともにマイクインタフェースに繋がるケーブルの終端状態を変化させるスイッチを有し、
マイクインタフェースは、ワイヤードマイクからの歌声信号をアンプに供給するとともに、ケーブルの終端状態に基づきマイクのオンオフを検出し、
制御手段は、演奏手段にカラオケ楽曲データを演奏させている期間において、マイクがオンからオフに変化した際、その時点からの経過時間を計測し、経過時間が所定時間に達するまでの期間だけ監視処理を行い、
監視処理は、マイクがオンに変化し、さらに、マイクがオフに変化すると、当該楽曲の演奏をフェードアウトさせて中止する
カラオケ装置。
【発明の詳細な説明】
【技術分野】
【０００１】
この発明は、楽曲演奏をフェードアウトさせながら中止するカラオケ装置に関し、とくに、マイクロホンのスイッチ操作で演奏中止の指示を発することのできるカラオケ装置に関する。
【背景技術】
【０００２】
カラオケ伴奏音楽に合わせて歌っているとき、歌唱者が途中で楽曲演奏を中止させたい場合がある。例えば、歌唱に行き詰まったり、歌唱者や同伴者の都合によりカラオケ楽曲を１曲分全て演奏させている時間がなかったりする場合である。そのため、カラオケ装置の本体やリモコン送信器には演奏中止ボタンが用意されている。演奏中止ボタンを押すと、伴奏音楽の音量をフェードアウトさせていってから演奏を中止するように構成されている。
【発明の開示】
【発明が解決しようとする課題】
【０００３】
歌唱者が楽曲演奏を中止させようと思っても、カラオケ装置のそばにいなければその操作を素早くすることができない。また、カラオケ装置を操作するためのリモコン送信器を携帯して歌唱しては、そのリモコン送信器を使って楽曲の演奏予約を行う他の同伴者に迷惑が掛かる。したがって楽曲の演奏を途中で中止させようとしても、その中止のための操作をするまでにさらに演奏が進んでしまい、歌唱音声がない伴奏演奏だけが音響出力された状態がしばらく続くことになる。そのため歌唱者は他の同伴者に対して気まずい思いをする。
【０００４】
本発明の目的は、歌唱者が使っているマイクロホンのスイッチを操作することで演奏を中止できるようにすることにある。
【課題を解決するための手段】
【０００５】
この発明に係るワイヤレスマイク式のカラオケ装置は、つぎの事項（１）〜（６）により特定されるものである。
（１）演奏手段と、ワイヤレスマイクと、受信手段と、制御手段を備えたカラオケ装置であること
（２）演奏手段は、制御手段の制御に従ってカラオケ楽曲データを演奏すること
（３）ワイヤレスマイクは、送信手段の動作をオンオフさせるスイッチを有すること
（４）受信手段は、ワイヤレスマイクの受信信号から復調した歌声信号をアンプに供給するとともに、受信信号の有無をあらわす状態信号を出力すること
（５）制御手段は、演奏手段にカラオケ楽曲データを演奏させている期間において、状態信号が有りから無しに変化した際、その時点からの経過時間を計測し、経過時間が所定時間に達するまでの期間だけ監視処理を行うこと
（６）監視処理は、状態信号が有りに変化し、さらに、状態信号が無しに変化すると、当該楽曲の演奏をフェードアウトさせて中止すること
【０００７】
この発明に係るワイヤードマイク式のカラオケ装置は、つぎの事項（11）〜（16）により特定されるものである。
（11）演奏手段と、ワイヤードマイクと、マイクインタフェースと、制御手段を備えたカラオケ装置であること
（12）演奏手段は、制御手段の制御に従ってカラオケ楽曲データを演奏すること
（13）ワイヤードマイクは、マイク出力をオンオフさせるとともにマイクインタフェースに繋がるケーブルの終端状態を変化させるスイッチを有すること
（14）マイクインタフェースは、ワイヤードマイクからの歌声信号をアンプに供給するとともに、ケーブルの終端状態に基づきマイクのオンオフを検出すること
（15）制御手段は、演奏手段にカラオケ楽曲データを演奏させている期間において、マイクがオンからオフに変化した際、その時点からの経過時間を計測し、経過時間が所定時間に達するまでの期間だけ監視処理を行うこと
（16）監視処理は、マイクがオンに変化し、さらに、マイクがオフに変化すると、当該楽曲の演奏をフェードアウトさせて中止すること
【発明の効果】
【０００９】
本発明のカラオケ装置によれば、歌唱者が使っているマイクロホンのスイッチを操作することで楽曲の演奏をフェードアウトさせながら中止することができる。とくに、既存のカラオケ用マイクロホンにまったく手を加えることなく、この発明を実施することができる。
【発明を実施するための最良の形態】
【００１０】
＝＝＝カラオケ装置の構成と基本機能＝＝＝
図１は本発明の実施例におけるカラオケ装置の機能ブロック構成であり、ワイヤレスマイクを付属している。この構成において、ハードディスク装置１２は、多数のカラオケ楽曲について、伴奏音楽の起源となるＭＩＤＩ形式の楽曲データと、歌詞画像の生成シーケンス（歌詞文字列とその表示順番、歌詞文字の色変わりタイミングなど）を記述した歌詞描出データ、所定形式の長時間分の動画データ、動画データの処理シーケンス（処理すべき動画データの格納場所と処理順番など）を規定した台本データを蓄積し、コンピュータ本体としてこのカラオケ装置を統括制御する中央制御部１１は、楽曲データと歌詞字幕生成データとにより構成されるデータセットをカラオケデータとし、カラオケデータと別途用意されている台本データとを固有の楽曲番号に対応付けして管理している。
【００１１】
利用者がリモコン送信器２２にてリクエスト曲の楽曲番号を入力して予約指示を行うと、その楽曲番号を含む演奏予約コマンドがリモコン送信器２２より送信される。操作制御部１３は、受光部１５を介して受け取った演奏予約コマンドに含まれる楽曲番号、あるいは操作パネル１４にて入力された楽曲番号を中央制御部１１に転送する。中央制御部１１は、その楽曲番号を内部のＲＡＭに格納して演奏処理の待ち行列で管理する。そして、待ち行列から楽曲番号を順次取り出し、該当のカラオケデータをハードディスク装置１２より読み出してＲＡＭのワークエリアに展開し、楽曲の演奏処理を開始する。
【００１２】
中央制御部１１は、楽曲データをシンセサイザ１９に転送して伴奏音楽を生成させるとともに、歌詞描出データを処理して歌唱すべき箇所が色変わりする歌詞画像をビデオＲＡＭ１６に順次ビットマップ展開していく。また、台本データに基づいて所定の動画データを所定の順番で映像制御部１７に順次転送して歌詞画像の背景動画を復号させる。
【００１３】
ワイヤレスマイク３０は、電源スイッチを備え、ユーザがそのスイッチを操作して電源が投入されると、所定の搬送周波数の電波を送信する。この状態で、マイクロホンに音声が入力されると、その音声を音響電気変換して歌声信号に変換し、その歌声信号をＦＭ変調する。そして、その変調信号を搬送波により無線送信する。ワイヤレスマイク受信部２２は、ワイヤレスマイク３０からの無線信号の搬送波周波数に同調し、変調信号を抽出・復調し、歌声信号を出力する。ミキシングアンプ２０はシンセサイザ１９からの伴奏音楽の音声信号と、ワイヤレスマイク受信部２２からの歌声信号とを混合・増幅してスピーカ２１より音響出力する。映像制御部１７は、復号した動画映像に歌詞画像をスーパーインポーズ処理してディスプレイ１８に表示出力する。
【００１４】
＝＝＝演奏フェードアウト機能＝＝＝
本実施例のカラオケ装置１は、上述した基本機能に加え、伴奏音楽の演奏をフェードアウトさせながら中止する演奏フェードアウト機能を備えている。しかも本実施例では、カラオケ装置本体やリモコン送信器を操作しなくても、ワイヤレスマイクの電源スイッチを所定の手順で操作するだけで起動することができる。そして、ワイヤレスマイク受信部は、再演奏機能を実現するための構成を備えている。
【００１５】
図２にワイヤレスマイク受信部２２の概略構成を例示した。ワイヤレスマイク受信部２２は、マイコンやＤＳＰなどにより構成されて当該マイク受信部２２を統括制御するマイク受信制御部２３と、ワイヤレスマイク３０からの無線信号を受信するアンテナ２４と、アンテナ２４にて受信された無線信号の搬送波周波数に同調する同調部２５と、同調部２５に設定されている周波数の搬送波を受信しているか否かを検出する受信信号検出部２６と、同調した搬送波を検波／復調して音声信号を出力する検波／復調部２７とを含んでいる。マイク受信制御部２３は、同調部２５および検波／復調部２７を制御してワイヤレスマイク３０からの無線信号から歌唱者の歌声信号をミキシングアンプ２０に向けて出力させるとともに、受信信号検出部２６における搬送波の検出有無に応じた受信状態信号を生成して中央制御部１１へ転送する。
【００１６】
中央制御部１１は、カラオケ楽曲の演奏を開始すると、ワイヤレスマイク受信部２２からの受信状態信号の出力状況を監視し、受信状態信号が受信有りの旨から無しの旨に変化すると、伴奏音楽の音量をフェードアウトさせながら演奏を中止する。本実施例では、中央制御部１１は、シンセサイザ１９に順次転送していく楽曲データについて、各楽音の音量を規定するパラメータ（ＭＩＤＩデータにおけるベロシティなど）を所定の時間をかけてゼロになるまで漸次減少させていく。そして、音量パラメータがゼロになった時点でシンセサイザ１９への楽曲データの転送を終了する。それによって、シンセサイザ１９は、音量が漸次減少していく伴奏音楽の音声信号をミキシングアンプに向けて出力し、スピーカ２１からの伴奏音楽がフェードアウトしながら途中終了する。
【００１７】
なお、フェードアウトの制御は楽曲データの音量に関するパラメータを変化させる方式に限らず、中央制御部１１がミキシングアンプ２０を制御し、シンセサイザ１９からの入力信号レベルを徐々に減少させていくようにしてもよい。
【００１８】
＝＝＝ワイヤードマイクについて＝＝＝
上記演奏フェードアウト機能は、ワイヤレスマイクに限らず、ワイヤードマイクにも適用可能である。ワイヤードマイクに対応した再演奏機能を備えたカラオケ装置は、ワイヤレスマイク受信部２２に代えて、ワイヤードマイクからのケーブルを接続して、ワイヤードマイクからの音声信号をミキシングアンプに入力するためのマイクインタフェースを備えている。
【００１９】
図３にワイヤードマイクの内部回路と、マイクインタフェースの機能ブロック構成を示した。ワイヤードマイク３０ｂはダイナミックマイクであり、周知の通り、ケーブル３１の先端にプラグ３２を備え、そのプラグ３２の電極をムービングコイル３３と終端抵抗３４とに切り換えて接続するためのスイッチ３５がある。
【００２０】
一方、マイクインタフェース４０は、ワイヤードマイク３０ｂのケーブル３１の先端にあるプラグ３２と接続するコネクタ４１を備え、ワイヤードマイク３０ｂのスイッチ３５をオン側３６にすると、コネクタ４１にはマイク入力された音声に相当する信号がムービングコイル３３から入力される。そして、ワイヤードマイク３０ｂからの音声信号は、プリアンプ４２にてレベル調整されたのち外部出力されてミキシングアンプ２０に入力される。
【００２１】
また、ワイヤードマイク３０ｂのスイッチ３５をオフ側３７にするとプラグ３２の電極間に終端抵抗３４が接続されることになる。終端接続検出部４３は、コネクタ４１に接続されたプラグ３２の電極間の抵抗値を計測することで、スイッチ３５がオン側３６にあるかオフ側３７かを検出する。プラグ３２の電極間が終端抵抗値に相当する所定の抵抗値であれば、スイッチ３５がオフ側３７であることを検出する。そして、スイッチ３５のオンあるいはオフに応じた終端接続状態信号を中央制御部１１へ転送する。中央制御部１１は、カラオケ楽曲の演奏に際し、マイクインタフェース４０からの終端接続状態信号がスイッチ３５がオンである旨からオフの旨に変化すれば、楽曲演奏をフェードアウトさせる。
【００２２】
＝＝＝マイクの操作について＝＝＝
上記実施例では、楽曲演奏中にマイクロホン（３０，３０ｂ）のスイッチをオンからオフに切り換える操作に応動して伴奏音楽がフェードアウトするようになっていた。しかし、歌唱者によっては、歌唱を継続する意志があるのにもかかわらず、故意にマイクロホン（３０，３０ｂ）のスイッチを演奏途中でオフにする場合もある。例えば、間奏中に余計な音声がマイクロホン（３０，３０ｂ）に入力してしまわないように、故意にスイッチをオフにする場合などである。このような場合、上記実施例のカラオケ装置１では、演奏中の伴奏音楽が歌唱者の意志に反してフェードアウトしてしまう。そこで、所定時間以内にマイクロホン（３０，３０ｂ）のスイッチをオン状態から、オフ、オン、オフの順に切り換えた場合にフェードアウトするようにすることが考えられる。具体的には、中央制御部１１のＲＯＭやハードディスク装置１２などに、演奏フェードアウト機能を起動するために一連のスイッチ切換操作を受け付け可能とする時間（演奏中止受付時間）を記憶させておく。そして、マイクロホン（３０，３０ｂ）がワイヤレスマイク３０であれば、中央制御部１１は、受信状態信号が受信有→無と変化した時点からの経過時間を計測し、演奏中止受付時間以内に受信状態信号がさらに有→無と変化したら、演奏フェードアウト機能を起動させる。
【００２３】
マイクロホンがワイヤードマイク３０ｂであれば、終端接続状態信号がスイッチ３５がオンである旨からオフの旨に変化した時点から演奏中止受付時間以内にさらにオン→オフに変化すれば、演奏フェードアウト機能を起動する。
【００２４】
なお、上記実施例ではマイクケーブルの終端に直接マイクスイッチを接続しているが、マイクスイッチを間接的に関与させることもできる。例えば、エレクトレットコンデンサ型マイクのように受動素子を用いたワイヤードマイクの場合、マイクアンプ回路を介在させなければならず、そうなれば、マイクスイッチはマイクアンプの電源をオンオフすることで未使用時の電池消費を抑えるようにする。そして、マイクケーブルの終端はマイクアンプの出力に接続される。このような形態であっても、マイクケーブルの終端抵抗値を計測することで、マイクスイッチによりマイクの電源がオンにされているか、オフにされているかが検出できる。つまり、周知の通り、アンプ回路の出力抵抗は、電源が入っているときは極めて低く、電源が切れているときは極めて高くなるからである。したがって、終端接続検出部４３は、プラグ３２の電極間の抵抗値を計測することにより、マイクスイッチがオンである旨あるいはオフである旨を示す信号を中央制御部１１へ転送できる。
【００２５】
なお、上記ダイナミックマイクの場合の終端抵抗３４を高抵抗値にしておけば、計測される抵抗値からマイクのオンあるいはオフを判断する基準を上記エレクトレットコンデンサ型マイクの場合と共通化できる。すなわち、所定の抵抗値よりも低いときはマイクはオン、高いときはオフである。
【図面の簡単な説明】
【００２６】
【図１】本発明の実施例におけるカラオケ装置の機能ブロック図である。
【図２】上記カラオケ装置を構成するワイヤレスマイク受信部の機能ブロック図である。
【図３】本発明のその他の実施例におけるカラオケ装置が備えるワイヤードマイクとマイクインタフェースの機能ブロック図である。
【符号の説明】
【００２７】
１  カラオケ装置
１１  中央制御部
１２  ハードディスク装置
１９  シンセサイザ
２０  ミキシングアンプ
２２  ワイヤレスマイク受信部
３０  ワイヤレスマイク  
３０ｂ  ワイヤードマイク
４０  マイクインタフェース
【図１】
0004451365.tif 000002
【図２】
0004451365.tif 000003
【図３】
0004451365.tif 000004